(57)【要約】【課題】小容量の医薬品を服用する時に必要な量の水を得ることができるような、小容量の医薬品と服用するための水とを一体としたセット包装体として販売し、消費者に利便性をもたらすことができる医薬品と水とのセット包装体を提供する。【解決手段】本発明は、１〜３回服用する量の医薬品を収納した医薬品包装体と、前記医薬品を服用するに足る量の水を収納し蓋材で密封したカップ容器と、前記蓋材の上に置いた前記医薬品包装体を覆っているキャップとを一体としてなることを特徴とする医薬品と水とのセット包装体であり、カップ容器の上縁にキャップを嵌合して一体とした形状、あるいは、カップ容器とキャップをシュリンク包装して一体とした形状とすることができる。【選択図】図１
2008273606.tif 000002
【特許請求の範囲】
【請求項１】
１〜３回服用する量の医薬品を収納した医薬品包装体と、前記医薬品を服用するに足る量の水を収納し蓋材で密封したカップ容器と、前記蓋材の上に置いた前記医薬品包装体を覆っているキャップとを一体としてなることを特徴とする医薬品と水とのセット包装体。
【請求項２】
前記カップ容器の上縁に前記キャップを嵌合して一体としたことを特徴とする請求項１に記載の医薬品と水とのセット包装体。
【請求項３】
前記カップ容器と前記キャップをシュリンク包装して一体としたことを特徴とする請求項１又は２に記載の医薬品と水とのセット包装体。
【発明の詳細な説明】
【技術分野】
【０００１】
本発明は医薬品と水とのセット包装体であり、さらに詳しくは、医薬品を収納した医薬品包装体と水を収納したカップ容器とキャップとを一体とした形状の医薬品と水とのセット包装体に関するものである。
【背景技術】
【０００２】
従来より、錠剤、粉末剤、カプセル剤等の経口投与される医薬品は、水等の液体と一緒に服用されている。特に、粉末剤においては、水等の液体がないと服用することが極めて困難なだけでなく、食道に薬がくっついたりすることでその場で溶けて食道に炎症を起こすこともある。最近では、水道水ではなく容器に入った飲料用の水を購入する生活習慣も一般化しており、医薬品を購入した場合、服用するための水を、別途購入している。
【０００３】
また、従来、コンビニエンスストア等の一般小売店では医薬品は販売できなかったが、改正薬事法の２００６年度改正（医薬品販売制度の改正）により、医薬品の販売が解禁されることになり、風邪薬、解熱鎮痛剤等の販売が一般小売店でも始まることが予想されている。特に、コンビニエンスストアでは、緊急対応の場合、外出先で必要な場合などに対応した１回分〜数回分の小容量の医薬品がメインに販売される可能性がある。カップの上にトレー容器を重ねた複合容器の形状は提案されている（例えば引用文献１参照。）。
【０００４】
【特許文献１】特許第３２４１４７４号
【発明の開示】
【発明が解決しようとする課題】
【０００５】
しかしながら、このように小容量の医薬品、例えば１回分の医薬品を購入する場合に、わずかな分量で済むところを従来から販売されている水の容量は５００ｍｌ以上であり、５００ｍｌのボトル入りの水を購入することは、消費者にとってのコスト負担も大きく、服用後の残量も多くなり無駄になることが多い。また、医薬品と水とを別々に購入することも不便であった。
【０００６】
本発明は、このような問題点を解決するためになされたもので、小容量の医薬品を服用する時に必要な量の水を得ることができるような、小容量の医薬品と服用するための水とを一体としたセット包装体として販売し、消費者に利便性をもたらすことができる医薬品と水とのセット包装体を提供することを目的とするものである。
【課題を解決するための手段】
【０００７】
本発明は、このような課題を解決するためになされたもので、請求項１記の発明は、１〜３回服用する量の医薬品を収納した医薬品包装体と、前記医薬品を服用するに足る量の水を収納し蓋材で密封したカップ容器と、前記蓋材の上に置いた前記医薬品包装体を覆っているキャップとを一体としてなることを特徴とする医薬品と水とのセット包装体である。
【０００８】
請求項２の発明は、請求項１の発明において、カップ容器の上縁にキャップを嵌合して一体としたことを特徴とする医薬品と水とのセット包装体である。
【０００９】
請求項３の発明は、請求項１又は２の発明において、カップ容器とキャップをシュリンク包装して一体としたことを特徴とする医薬品と水とのセット包装体である。
【発明の効果】
【００１０】
上述のように、本発明は、小容量の医薬品と服用するための水とを一体としたセット包装体とすることによって、小容量の医薬品を服用する時に必要な量の水を得ることができるような、小容量の医薬品と服用するための水とを一体としたセット包装体として販売し、消費者に利便性をもたらすことができる。
【００１１】
また、カップ容器とすることによって、そのまま水を飲むことが容易であるという効果を有している。
【００１２】
さらに、カップ容器を紙カップにすることによって、使用後に、容易に廃棄することができるという効果を有している。
【００１３】
特に、コンビニエンスストア等の一般小売店では医薬品は販売できなかったが、改正薬事法の２００６年度改正（医薬品販売制度の改正）により、医薬品の販売が解禁されることになり、風邪薬、解熱鎮痛剤等の販売が一般小売店でも始まることが予想され、コンビニエンスストアで、販売されると、消費者にとって、夜間などの緊急対応の場合、あるいは、外出先で必要な場合などに、小容量（１回分〜数回分）の医薬品を購入することができると共に医薬品を服用するのに必要な水を必要量だけ同時に購入することができ、利便性が向上するという効果がある。
【発明を実施するための最良の形態】
【００１４】
以下、本発明の実施形態について図面に従って説明する。
【００１５】
本発明のセット包装体１は、１〜３回服用する量の医薬品を収納した医薬品包装体１０と、医薬品を服用するに足る量の水を収納したカップ容器２０と、該カップ容器の蓋材の上に載置した医薬品包装体を覆っているキャップ３０とからなり、図１に示すように、医薬品包装体１０とカップ容器２０とキャップ３０を一体とした商品としていることを特徴とするものである。
【００１６】
本発明のセット包装体１における医薬品包装体１０は、１〜３回服用する小容量の医薬品を収納したものであり、例えば、図２−ａ、ｂに示すような１回分の医薬品が分包された小袋１０ａ、１０ｂの形状、図２−ｃに示すようなＰＴＰ包装体１０ｃ等とすることができる。さらに、図２−ｄに示すような分包された小袋あるいはＰＴＰ包装体をさらに包装した箱１０ｄ等の形状とすることができる。
【００１７】
また、図２−ａに示すような小袋の場合、軟包装材による包装袋状であり、３方シール包装袋、４方シール包装袋であってもよい。
【００１８】
そして、小袋に使用する素材は、通常軟包装材料に使用されている内面にヒートシーラント層を有するものであればどのような積層構成を有するものでもよい。その積層構成の一例を挙げれば、例えば、表面から順に次の如き構成を有するものである。
２軸延伸ポリプロピレン樹脂２０ｍμ／印刷層／接着層（ドライラミネート用）／蒸着層／無延伸ポリプロピレン樹脂２５ｍμ
なお、印刷は公知のいかなる方法によってもよいが、軟包装材の場合には、グラビア印刷法がもっとも効果的に使用できる。
【００１９】
また、図２−ｄに示すように、医薬品包装体１０の材料として板紙を使用した箱１０ｄとし、この箱１０ｄの中に医薬品を収納した小袋１０ａ、１０ｂあるいはＰＴＰ包装体１０ｃを収納することができる。
【００２０】
本発明のセット包装体１におけるカップ容器２０は、小容量の医薬品を服用するのに必要な量の水を収納したカップ形状の容器であり、図３−ａに示すような開口部にトップカール部２２を有する紙カップあるいは図３−ｂに示すような開口部にフランジ部２３を有するプラスチックカップである。通常、内容物は医薬品を服用するための水であるが、水以外にも、薬品によっては、茶類、ジュース、牛乳、コーヒー等とすることもできる。容量としては、一体としている医薬品を服用するのに十分な量とする。具体的には、１回分の場合、１５０〜２００ｃｃの範囲である。カップ容器２０に水等の内容物を充填した後は、開口部を蓋材２１で密封する。
【００２１】
本発明のセット包装体１におけるキャップ３０は、水等を充填したカップ容器２０の開口部を密封した蓋材２１の上に載置した医薬品を収納した医薬品包装体１０を覆い、かつ、カップ容器２０と一体することができる形態であり、キャップ３０の形状は、カップ形状、半球形状等とすることができる。中でも、カップ形状とすることが、形が安定していること、製造上簡便である等の点から好ましい。従って、カップ容器２０と同様に、図４−ａに示すような紙カップ形状あるいは図４−ｂに示すようなプラスチックカップ形状とすることができる。プラスチックカップ形状の場合、透明な材料を使うことによって、中の医薬品包装体１０を外側から見ることができるキャップ３０とすることができる。
【００２２】
本発明のセット包装体１において、医薬品包装体１０とカップ容器２０とキャップ３０を一体とする方法は、内容物である水Ｗを充填したカップ容器２０の密封した蓋材２１の上に、医薬品包装体１０を載置して、その医薬品包装体１０を覆うようにキャップ３０をカップ容器２０の上に置く。医薬品包装体１０とカップ容器２０とを一体とする具体的な方法は、一つには、図５−ａに示すように、カップ容器２０にキャップ３０を被せて嵌合する方法であり、もう一つには、図５−ｂに示すように、カップ容器２０とキャップ３０とをシュリンク包装する方法である。前者のカップ容器２０にキャップ３０を被せて嵌合する方法では、紙カップであればトップカール部２２、プラスチックカップであればフランジ部２３で係止するように嵌合する方法であり、カップ容器２０とキャップ３０を繋いでシール２４を貼った形状とすることもできる。後者のカップ容器２０とキャップ３０とをシュリンクフィルム２５を使用してシュリンク包装する方法では、カップ容器２０の上部とキャップ３０とをシュリンク包装する方法が好ましい。
【００２３】
いずれの形態においても、店頭等で簡単に容器から医薬品を収納した医薬品包装体１０だけを取り外すことが難しい形状とすることが好ましい。
【実施例】
【００２４】
つぎに、本発明のセット包装体について実施例を挙げて、さらに具体的に説明する。
【００２５】
＜実施例１＞
本実施例のセット包装体１Ａは、１回服用する量の医薬品を収納した医薬品包装体１０Ａと、医薬品を服用するに足る量の水Ｗを収納したカップ容器２０Ａと、該カップ容器の蓋材の上に載置した医薬品包装体を覆っているキャップ３０Ａとからなり、図６に示すように、医薬品包装体１０Ａとカップ容器２０Ａとキャップ３０Ａを一体とした商品としている。
【００２６】
医薬品包装体１０Ａは、１回服用する量の医薬品を収納した４方シール包装袋とした。
【００２７】
カップ容器２０Ａは、上縁にトップカール部２２を有し、高さ１１０ｍｍ、開口部の直径７０．５ｍｍの紙カップとした。このカップ容器２０Ａに２００ｃｃの水Ｗを充填し、蓋材２１を開口部のトップカール部２２で熱シールした。つぎに、シールした蓋材２１の上に医薬品を収納した４方シールした小袋形状の医薬品包装体１０Ａを載置した。さらに、その医薬品包装体１０Ａを覆いカップ容器２０Ａの上縁のトップカール部２２で係止するようにキャップ３０Ａを上から被せた。この時、キャップ３０を被せることにより、医薬品包装体１０Ａをカップ容器２０Ａの蓋材２１の上に固定し保持できる形状とし、セット包装体１Ａの中で医薬品包装体１０Ａが移動しないようにした。さらにまた、カップ容器２０Ａとキャップ３０Ａとをシール２４で封をして、医薬品包装体１０Ａとカップ容器２０Ａとキャップ３０Ａを一体としたセット包装体１Ａとした。
【００２８】
＜実施例２＞
本実施例のセット包装体１Ｂは、１回服用する量の医薬品を収納した医薬品包装体１０Ｂと、医薬品を服用するに足る量の水を収納したカップ容器２０Ｂと、該カップ容器の蓋材の上に載置した医薬品包装体を覆っているキャップ３０Ｂとからなり、図７に示すように、医薬品包装体１０Ｂとカップ容器２０Ｂとキャップ３０Ｂを一体とした商品としている。
【００２９】
医薬品包装体１０Ｂは、１回服用する量の医薬品を収納したＰＴＰ包装体とした。
【００３０】
カップ容器２０Ｂは、上縁にフランジ部２３を有し、高さ１１０ｍｍ、開口部の直径７０．５ｍｍのプラスチックカップとした。このカップ容器２０Ｂに２００ｃｃの水を充填し、蓋材２１を開口部のフランジ部２３で熱シールした。つぎに、シールした蓋材２１の上に医薬品を収納したＰＴＰ包装体の医薬品包装体１０Ｂを載置した。さらに、その医薬品包装体１０Ｂを覆いカップ容器２０Ｂの上にキャップ３０Ａを上から置いた。ついで、カップ容器２０Ｂの上部とキャップ３０Ｂとをシュリンク包装することにより、医薬品包装体１０Ｂとカップ容器２０Ｂとキャップ３０Ｂを一体としたセット包装体１Ｂとした。
【産業上の利用可能性】
【００３１】
コンビニエンスストア等の一般小売店では医薬品は販売ができなかったが、改正薬事法の２００６年度改正（医薬品販売制度の改正）により、医薬品の販売が解禁されることになり、風邪薬、解熱鎮痛剤等の販売が一般小売店でも始まることが予想され、特に、コンビニエンスストアで、販売される可能性があり、小容量（１回分〜数回分）の医薬品を販売すると共に医薬品を服用するのに必要な水も同時に販売する場合の医薬品と水とのセット包装体として、広く利用される可能性がある。
【図面の簡単な説明】
【００３２】
【図１】本発明によるセット包装体の一実施形態を示す斜視図である。
【図２】図１のセット包装体の医薬品包装体の例を示す平面図である。
【図３】図１のセット包装体のカップ容器の例を示す斜視図である。
【図４】図１のセット包装体のキャップの例を示す斜視図である。
【図５】本発明のセット包装体における医薬品包装体とカップ容器とキャップと一体とする方法を示す断面図である。
【図６】本発明によるセット包装体の一実施例を示す斜視図である。
【図７】本発明によるセット包装体の他の実施例を示す斜視図である。
【符号の説明】
【００３３】
１      セット包装体
１Ａ    セット包装体
１Ｂ    セット包装体
１０      医薬品包装体（セット包装体１の）
１０Ａ    医薬品包装体（セット包装体１Ａの）
１０Ｂ    医薬品包装体（セット包装体１Ｂの）
２０      カップ容器
２１      蓋材
２２      トップカール部
２３      フランジ部
２４      シール
２５      シュリンクフィルム
３０      キャップ
Ｗ      水
【図１】
2008273606.tif 000003
【図２】
2008273606.tif 000004
【図３】
2008273606.tif 000005
【図４】
2008273606.tif 000006
【図５】
2008273606.tif 000007
【図６】
2008273606.tif 000008
【図７】
2008273606.tif 000009